(57)【特許請求の範囲】
【請求項１】
平面体や凹曲面体に向けて、これに剛性シャフト或いは柔軟性線状体で連結したノズルから下方へ放水し、その平面や凹曲面の縁より、薄膜を形成して散水すると共に、平面体や凹曲面体の縁周囲に垂直乃至外側に向けて、複数の小穴を開けた壁を設け、その小穴より噴水させることを特徴とする散水する方法。
【発明の詳細な説明】
【０００１】
【発明の属する技術分野】
本発明は、観賞用或いは、遊戯具用の散水の方法に関する。
【０００２】
【従来の技術】
従来、庭園や公園などに見られる噴水は、１本乃至複数のノズルから、噴水の高さを変えたり、角度を変えて噴水させる又は太さを変える、或いは間欠噴水に適宜変化を持たせる。さらにノズルを移動させる方法であった。また、水浴び遊びでは、滝の水に打たれたり、単純にホースからの放水を直接浴びる方法であった。
【０００３】
【発明が解決しようとする課題】
従来の噴水においては、いづれも水の線状或いは点状の態様の変化を見せるものであり、単調に過ぎる問題点があった。
【０００４】
【課題を解決するための手段】
本発明による放水の落下の方法は、平面体又は凹曲面体や凸曲面体或いはその複合体に向かって、上部又は下部から、ノズルより放水し、平面体や曲面体の或いはその複合体の周囲から薄膜を形成して散水させる方法である。また、複数の平面体や曲面体或いはその複合体に同時に放水することにより、複数の薄膜散水部を形成させる方法である。
【０００５】
【発明の実施の形態】
本発明による、散水の大きさやその範囲および形状は、基本的には、平面体、或いは曲面体の大きさや中心深さと、ノズルからの放水位置や単位時間当たりの放水する量や水力によって決められる。なお、水のみでなく、湯でもよい。曲面体や平面体の周囲は、円、楕円、角状等形状は自由である。
【０００６】
さらに、ノズルからの放水を、下方と上方への流れに分けて、下方への水は、薄膜を形成させて散水し、上方への水は、薄膜を形成させて散水すると共に、従来の噴水として形成させる、複合変化ある水の態様として楽しむことを提供する。
【０００７】
平面体に向かって、上部から放水するとき、放水の当たる所と平面体の縁との長さや、水量、水力によっても異なるが、その隣接面は、散水を妨げない程度の高さと角度を以て立ち上がっているか、外角度が約２４０°以上に下向いていればよく、接続面が下方に曲面形状のときは、直径が約１０ｍｍ以下の球面であればよい。
【０００８】
水を受ける面が、凸曲面体や凹曲面体の場合は、散水縁部が極端に散水を妨げる形状である以外は、続側面の形態を考慮する必要はないが、溜水を発生させない凹曲面形態や曲面体の大きさに応じた水力には配慮が必要である。曲面体による散水範囲は、曲面球の直径と散水部分縁の長さおよび水力、水量に比例する。又曲面体については、凸面体よりも凹面体への放水の方が散水範囲は広く、凹面体への放水では、上方への放水より、下方へ向かっての放水の方が散水範囲は広い。
【０００９】
平面体や曲面体は、肪錆処理した金属やゴムやプラスチック或いは木製等いずれでもよい。放水するノズルと平面体や曲面体とは、一般には、複数の硬質な連結シャフトでそれぞれの縁を溶接や剥がれることのない接着方法で繋ぐ。複数の場合、三か所か四か所でよい。一本の連結シャフトでノズルと平面体や曲面体の中心を繋ぐ場合は、そのシャフトは、ノズルの中心を通し、水が入るノズルの縁部において、複数か所からの連結棒で固定する。
【００１０】
ノズルの下で平面体や曲面体と繋ぐ場合に、柔軟性のある繊維体や鎖等で繋ぐと、平面体や曲面体に放水されるときに、それが揺れることにより、散水角度や散水範囲に様々な変化をもたらす。
【００１１】
図面を使って、本発明の実施の形態を説明する。
図１は、庭園や公園などに設置する散水池や室内装飾用散水装置の実施例である。石材などによる円形等の散水受け池１の縁に、複数本の放水ノズル支柱３を立て、放水ノズル２の長さ中間の放水ノズル支柱接続部４に固設してある。しかも、放水ノズル２にほぼ直角に接続してある。放水ノズル支柱３は、空洞になっており、図示していない循環装置により、池の水は、放水ノズル支柱３の中を通って、放水ノズル２から上方と下方に別れて放水され、散水受け池１に戻るようにしてある。
【００１２】
放水ノズル２に入った水は、上下に、ほぼ等量に分かれ、下に向かった水は、放水ノズル２と複数の散水体シャフト６により接続された下方放水受け凹曲面体５の中心部に、勢いよく放水し凹曲面体５の周囲から薄膜１０を形成して、散水する。
【００１３】
放水ノズル２から、上方へ向かった水は、散水体シャフト９により接続された、上方放水受け凹曲面体７の中心部に、勢いよく当り凹曲面体７の周囲から、上方凹曲面体よりの薄膜１１を形成して、散水する。
【００１４】
放水ノズル２から上方へ向かった水の一部は、上方放水受け凹曲面体７の中央に明けた噴水ノズル８から噴水１２として放出される。放水ノズル支柱３や放水ノズル２さらに、散水シャフト６、９や図４の平面散水体１８そして凹曲面体５，７や図３の凸曲面体１６は、防錆処理した金属や耐候老化牲ある硬質プラスチック材を使用する。他の実施例も同様である。
【００１５】
図示していないが、さらに、放水ノズル支柱３を分岐して、下方放水受け凹曲面体５の下部に、放水ノズル２を下方のみへの放水とするノズルにして、それに散水体シャフト６によると同様に取り付けた曲面体や平面体に放水して、薄膜形成して散水させる多段階の散水装置とすることも出来る。
【００１６】
二か所の散水体の大きさや形状を変えて設定したり、水量や水力を調整することにより、薄膜散水や噴水の形状に変化を持たせることが出来、夜間に各色のライトアップを施すことにより観賞度はさらに高まる。
【００１７】
図２は、家庭で遊べる簡単な散水装置の実施例である。複数の散水体シャフト６で一般的なノズル１３の縁と下方放水受け凹曲面体５の縁とを溶接又は接着して、放水ノズル１３に水道蛇口に通ずるホース１４を取り付けた薄膜形成の散水装置である。それをホース固定竿１５に結べばよい。下方放水受け凹曲面体５の下には、例えば、軟質のプラスチックプールを水受けとして置く。水遊びする子供等は薄膜散水の中に入って、水を通して外を見るという経験が出来る。
【００１８】
この場合の散水体シャフト６を硬質とせず、紐や鎖など柔軟性ある材質にして、放水の力で前後左右に揺れるようにすれば、薄膜散水の動きで、さらに興味は増加する。
又、曲面体の周囲を円や楕円の外に、変形形状にすれば、さらに面白みが高まる。
【００１９】
図３は、図２の下方放水受け凹曲面体５を、下方放水受け凸曲面体１６にして薄膜形成させる凸曲面体よりの散水１７の装置である。曲面の球直径や周囲の長さを同じとし、水量や水力を同じとすれば、凹曲面体よりも散水範囲は劣る。
【００２０】
図４は、放水受けを平面散水体１８とし、その中心に一本の散水体シャフト１９を溶接又は接着し、それを放水ノズル１３の中心に通して、ノズル１３の水の注入口で、その縁と散水体シャフト１９を複数のノズル連結棒２０でそれぞれ溶接又は接着した、水の薄膜１０を得る散水体の装置である。この場合の平面散水体１８の周囲も、円や楕円のみでなく、四角、三角或いは凹凸のある変形体にすると変化のある薄膜散水が得られる。
【００２１】
図５は、周囲に壁のある平面散水体２１を複数の散水体シャフト６で放水ノズル１３の縁に溶接又は接着した薄膜形成散水体の側面を示した実施例である。周囲の壁は、平面散水体２１に対して、９０°以上の開きのある壁であり、放水からの距離と水量や水力に応じた、薄膜形成散水を妨げない高さであることが必要である。なお、図５とは別であるが、平面散水体２１に隣接する面が、下方に向いているときは、散水体平面に対して約２４０°以上の外角度を設けるようにすることにより、また球曲面で下方に向いているときは、直径が約１０ｍｍ以下の球面であれば、上記の放水条件にもよるが、薄膜形成を妨げることはない。
【００２２】
図６は、図５の実施例の周囲の壁を高くして、適宜に穴を明けた、周囲に穴の明いた壁のある平面体２２で、薄膜形成の散水と共に、その穴からも線状の放水をさせ、放水に変化を付与する装置の実施例である。
【００２３】
図７は、放水ノズル１３と複数の散水体シャフト６を伴う下方放水受け凹曲面散水体２３を中央に有する、平面立方体２４の装置である。薄膜１０の形成散水体として、水受けのプールの中に置ける安定性のある装置の実施例である。
【００２４】
図８は、凸曲面と凹曲面を合わせ持つ凹凸曲面散水体２５に、散水体シャフト６で固定した上部に位置する放水ノズル１３から下方に放水し、周囲に、薄膜を形成して散水する、凹凸曲面散水装置の側面を示している。曲面体の外周形状は、円、楕円形状や角形状、凹凸ある形状等自由である。
【００２５】
図８の実施例は、平面的凹凸曲面であるが、立体的な凹凸曲面体にすると、さらに薄膜形成に変化が見られる。その上さらに、放水ノズル１３を回転させる機構にすると、水の薄膜に動きが加わり、複合的な水の薄膜形成の変化が見られる。
【００２６】
図９の実施例は、円筒体の上面が凹曲面となっている上部凹曲面円筒散水体で、放水ノズル１３３は、別途に横向きに支えられ固定している。放水ノズル１３３からの放水は落下して、上部凹曲面円筒散水体２６の曲面に当り、四方に薄膜１０を散水する装置である。円筒散水体２６は、上部が凹曲面であれば、円梯形であっても、自然石など、それに類する形状であってもよい。比較的小庭園などの観賞用に利用される。
【００２７】
【発明の効果】
本発明は、以上説明したような形態で実施され、以下に記載されるような効果を奏する。
【００２８】
従来の噴水という、点と線のみの連続放水でなく、薄膜を形成して散水され、その散水の大きさや形状の変化又は移動、さらに複数の薄膜形成の散水或いは従来の噴水との組み合わせにより多様な散水、噴水や点線状水を見ることが出来る。
【００２９】
水遊びとしても、薄膜散水の中から外の景色を見るという興味のある経験を子供等に与えられる。
【００３０】
光の当て方により、虹を作り出すことも出来るし、夜間の各色のライトアップで興趣が一段と増加する。
【図面の簡単な説明】
【図１】      下方と上方への放水で、凹曲面体による複数の薄膜形成散水と噴水を複合させる方法を示す装置の斜視図である。
【図２】      凹面体へ放水して、薄膜形成散水させる方法の実施例の斜視図である。
【図３】      凸面体へ放水して、薄膜形成散水させる方法の実施例の斜視図である。
【図４】      平面体に放水して、薄膜形成散水させる方法の実施例の斜視図である。
【図５】      外周壁を設けた平面体による、薄膜形成散水装置の側面図である。
【図６】      図５の外周壁に、適宜に放水穴を設けた、薄膜形成散水装置の斜視図である。
【図７】      平面的立法体の中央に、凹曲面部を設けた、薄膜形成散水装置の斜視図である。
【図８】      平面的凹凸曲面散水体の側面図である。
【図９】      上部凹曲面円筒散水体装置の斜視図である。
【符号の説明】
１．散水受け池                        ２．放水ノズル
３．放水ノズル支柱                    ４．放水ノズル接続部
５．下方放水受け凹曲面体              ６．９．１９  散水体シャフト
７．上方放水受け凹曲面体              ８．噴水ノズル
１０．１１．薄膜                      １２．噴水
１３．放水ノズル                      １４．ホース
１５．ホース固定竿                    １６．下方放水受け凸曲面体
１７．凸曲面体よりの散水              １８．平面散水体
２０．ノズル連結棒                    ２１．周囲に壁のある平面散水体
２２．周囲に穴の明いた壁のある平面体  ２３．下方散水受け凹曲面散水体
２４．凹曲面散水体を有する平面立方体  ２５．凹凸曲面散水体
２６．上部凹曲面円筒散水体          １３３．放水ノズル
【図１】
0003994250.tif 000002
【図２】
0003994250.tif 000003
【図３】
0003994250.tif 000004
【図４】
0003994250.tif 000005
【図５】
0003994250.tif 000006
【図６】
0003994250.tif 000007
【図７】
0003994250.tif 000008
【図８】
0003994250.tif 000009
【図９】
0003994250.tif 000010